(57)【要約】【課題】  ディスプレイパネルの試験或いは加工時に使用される挟持具の提供。【解決手段】  ベースと挟持装置で組成され、ベース内に移動装置が設けられ、且つ移動装置に駆動装置が接続され、挟持装置にサポートフレームが設置され並びに移動装置に接続され、且つサポートフレームにピンが設置され、並びにサポートフレームの上方にサポートアームが枢設され、且つサポートアームの一側にピンを挿入できる複数の凹溝が設けられ、並びにもう一側に嵌め溝が設けられて各種サイズの表示パネルの位置決めに用いられ、これにより装置の購入コストを減らし、さらに挟持装置に設けられたサポートフレームに枢設されたサポートアームを利用して、表示パネルをサポートアームの回転により裏返し、表示パネルの試験或いは加工を行なうことができ、裏返すのに必要な時間を節約し、加工と試験コストを減らす。【選択図】        図１
0003102119.tif 000002
【実用新案登録請求の範囲】
【請求項１】
ディスプレイパネルを試験或いは加工する時に使用される挟持具であり、ベースを具え、該ベース内に移動装置が設けられ、該移動装置の二側にそれぞれ移動装置により相互に対向するか或いは反対の方向に移動させられる挟持装置が設けられ、移動装置の作動により二つの挟持装置の間に試験或いは加工を行なうディスプレイパネルを位置決めでき、各種サイズのディスプレイパネルを位置決めできることを特徴とする、ディスプレイパネルの加工挟持具。
【請求項２】
請求項１記載のディスプレイパネルの加工挟持具において、移動装置がスクリューロッド、チェーン或いはベルトで構成されたことを特徴とする、ディスプレイパネルの加工挟持具。
【請求項３】
請求項１記載のディスプレイパネルの加工挟持具において、移動装置に駆動装置が設置され、且つ駆動装置がモータ或いはレバーとされたことを特徴とする、ディスプレイパネルの加工挟持具。
【請求項４】
請求項１記載のディスプレイパネルの加工挟持具において、挟持装置はサポートフレームが設置されると共に移動装置に接続され、サポートフレームにサポートアームが枢設され、サポートアームの一側に、サポートアームに設けられたピンを挿入できる複数の凹溝が設けられ、サポートアームの別の一側に嵌め溝が凹設されたことを特徴とする、ディスプレイパネルの加工挟持具。
【考案の詳細な説明】
【技術分野】
【０００１】
本考案は一種のディスプレイパネルの加工挟持具に係り、特に、ディスプレイパネルを試験或いは加工する時に使用される挟持具であり、ベース内に設けられた移動装置により二側に接続された挟持装置を対向方向或いは反対方向に移動させて、各種サイズのディスプレイパネルを位置決めでき、これにより挟持具の購入コストを減らすことができる装置に関する。
【背景技術】
【０００２】
現在、ディスプレイの研究領域中、液晶ディスプレイの発展は最も成熟し、液晶の特殊な光電性質によりそれは多くの領域中で無限の応用の潜在力を秘めている。近年、液晶ディスプレイは広く大衆に受け入れられ、且つその応用面も続けて成長中である。しかし、このようなディスプレイのディスプレイパネルのほとんどはパネルをバックライト板（或いは放熱板）に組合せ、且つバックライト板に制御装置を設置してなる。小型のＰＤＡ、携帯電話から大型のテレビジョン設備に至るまで、ディスプレイパネルの応用が必要であるが、パネルには完全で傷の無い表面が必要とされて制御装置が衝突或いは圧迫してはならないため、ディスプレイパネルの後段の加工或いは試験のいずれでもディスプレイパネルを固定具で固定してそれを懸垂状態としなければならない。且つディスプレイパネルの試験及び加工の過程中に、パネル、バックライト板及び制御装置の組成を有するために、異なる方向で試験或いは加工を行なわねばならない。図１３は周知の技術の斜視図であり、図示されるように、周知の固定具にはベースＡが設置され、ベースＡの上方に二つのサポートフレームＡ１が接続され、且つディスプレイパネルＢに設置されたフレームＢ１がサポートフレームＡ１に固定され、これにより試験或いは加工の動作を行なえる。
【０００３】
上述の周知の固定具は、少なくとも以下のような欠点を有している。
１．ベースＡに設定されたサポートフレームＡ１にディスプレイパネルＢが固定されるが、二つのサポートフレームＡ１の間の距離は固定され、ゆえに各種サイズのディスプレイパネルＢに適用することができず、多くの異なるサイズの固定具を準備して生産時の要求に対応しなければならず、生産のコストを増し、これにより消費者の購入コストに影響が生じる。
２．ディスプレイパネルＢの試験或いは加工を異なる方向から行なわねばならないが、周知の固定具は回転機構が設置されていないため、人がディスプレイパネルＢを回転させるか或いは試験或いは加工に必要な工具或いは機具により移送しなければならず、作業時間を消耗し、コストを増す。
【考案の開示】
【考案が解決しようとする課題】
【０００４】
本考案の主要な目的は、一種のディスプレイパネルの加工挟持具を提供することにあり、それは、ベース内に設けられた移動装置により移動装置の二側に接続された挟持装置を、対向する、或いは反対の方向に移動させることにより、ディスプレイパネルを二つの挟持装置の間に位置決めでき、各種サイズのディスプレイパネルに適用可能で、これにより挟持具の購入コストを減らすことのできるものとする。
【０００５】
本考案の次の目的は、一種のディスプレイパネルの加工挟持具を提供することにあり、それは、挟持装置に設けられたサポートフレームにサポートアームが枢設され、ディスプレイパネルをサポートアームの回転により方向改変させて、ディスプレイパネルの試験或いは加工に供することができ、これにより試験或いは加工に必要な回転作業にかかる時間を短縮し、加工と試験のコストを減らすことができるものとする。
【課題を解決するための手段】
【０００６】
請求項１の考案は、ディスプレイパネルを試験或いは加工する時に使用される挟持具であり、ベースを具え、該ベース内に移動装置が設けられ、該移動装置の二側にそれぞれ移動装置により相互に対向するか或いは反対の方向に移動させられる挟持装置が設けられ、移動装置の作動により二つの挟持装置の間に試験或いは加工を行なうディスプレイパネルを位置決めでき、各種サイズのディスプレイパネルを位置決めできることを特徴とする、ディスプレイパネルの加工挟持具としている。
請求項２の考案は、請求項１記載のディスプレイパネルの加工挟持具において、移動装置がスクリューロッド、チェーン或いはベルトで構成されたことを特徴とする、ディスプレイパネルの加工挟持具としている。
請求項３の考案は、請求項１記載のディスプレイパネルの加工挟持具において、移動装置に駆動装置が設置され、且つ駆動装置がモータ或いはレバーとされたことを特徴とする、ディスプレイパネルの加工挟持具としている。
請求項４の考案は、請求項１記載のディスプレイパネルの加工挟持具において、挟持装置はサポートフレームが設置されると共に移動装置に接続され、サポートフレームにサポートアームが枢設され、サポートアームの一側に、サポートアームに設けられたピンを挿入できる複数の凹溝が設けられ、サポートアームの別の一側に嵌め溝が凹設されたことを特徴とする、ディスプレイパネルの加工挟持具。
【考案の効果】
【０００７】
本考案のディスプレイパネルの加工挟持具は、ベース内に設けられた移動装置により移動装置の二側に接続された挟持装置を、対向する、或いは反対の方向に移動させることにより、ディスプレイパネルを二つの挟持装置の間に位置決めでき、各種サイズのディスプレイパネルに適用可能で、これにより挟持具の購入コストを減らすことができる。
【０００８】
本考案のディスプレイパネルの加工挟持具は、挟持装置に設けられたサポートフレームにサポートアームが枢設され、ディスプレイパネルをサポートアームの回転により方向改変させて、ディスプレイパネルの試験或いは加工に供することができ、これにより試験或いは加工に必要な回転作業にかかる時間を短縮し、加工と試験のコストを減らすことができる。
【考案を実施するための最良の形態】
【０００９】
図１、２、３は本考案の斜視図、挟持前の正面図、及びディスプレイパネルの斜視図である。本考案の挟持具１はベース１１と挟持装置１２で組成されている。
【００１０】
該ベース１１内には移動装置１１１が設けられ、且つ移動装置１１１に駆動装置１１２が接続され、該移動装置１１１がスクリューロッドで構成され、且つ駆動装置１１２はモータとされうる。
【００１１】
該挟持装置１２は移動装置１１１の二側にそれぞれ位置し、該挟持装置１２にはサポートフレーム１２１が設置され、並びに移動装置１１１に接続され、且つサポートフレーム１２１にピン１２１１が設置され、サポートフレーム１２１の上方にサポートアーム１２２が枢設され、且つサポートアーム１２２の一側にピン１２１１を挿入できる複数の凹溝１２２１が設けられ、並びに別の一側に嵌め溝１２２２が凹設されている。
【００１２】
該ディスプレイパネル２は現在はいずれもパネルを利用してバックライト板に結合され、並びにバックライト板に複数の制御装置が設置され、更に固定手段２１によりパネルとバックライト板が嵌合されてなる。
【００１３】
図４、５、６は本考案の挟持前の正面図、挟持時の正面図、挟持後に分離させる時の正面図である。挟持具１でディスプレイパネル２を固定したい時は、ディスプレイパネル２を二つの挟持装置１２の間に置き、さらに駆動装置１１２により移動装置１１１を作動させて移動装置１１１の二側の挟持装置１２を対向する方向に移動させ、挟持装置１２を適当な位置に移動させてディスプレイパネル２の設けられた固定手段２１を挟持装置１２の嵌め溝１２２２内に進入させ、これによりディスプレイパネル２の固定を完成する。ディスプレイパネル２の試験或いは加工動作が完成した後に、挟持具１より離脱させたい時は、駆動装置１１２により挟持装置１２を駆動して相互に反対の方向に移動させ、これによりディスプレイパネル２を挟持具１による位置決めより離脱させる。
【００１４】
さらに図７、８は本考案のサポートアームの転向時の正面図及び転向後の正面図である。ディスプレイパネル２の固定完成後に転向が必要である時、まず、サポートフレーム１２１に設けられたピン１２１１をサポートアーム１２２内の凹溝１２２１より抜き取り、さらにサポートアーム１２２を回転させてディスプレイパネルを別の一面に回転させ、さらにピン１２１１を凹溝１２２１に挿入すれば、転向の動作が完成する。
【００１５】
さらに、本考案の挟持具１に使用される移動装置１１１はベルト或いはチェーンで組成可能で（図９、１０）、且つ移動装置１１１を駆動する駆動装置１１２もまた外部より挿入されて移動装置１１１を駆動し、並びにディスプレイパネル２の固定完成後に移動装置１１１より分離されるものとされうる。反対にディスプレイパネル２を挟持具１より取り外したい時は、上述のステップを使用して駆動装置１１２を反対方向に作動させればよい（図１１）。
【００１６】
また、移動装置１１１を駆動するのに使用される駆動装置１１２はレバーにより駆動するものとされうる（図１２）。
【００１７】
このほか、図１、図１１に示されるように、駆動装置１１２は直接ベース１１部分或いはベース１１外部に設置可能で、並びに駆動装置１１２により移動装置１１１を移動させることができるものとされる。さらに、サポートフレーム１２１に枢設されたサポートアーム１２２は直接サポートフレーム１２１に固定可能で、この形態は、挟持物品が回転不要である時の状態で使用される。以上の簡単な修飾及び構造の変化はいずれも本考案の請求範囲内に属する。
【００１８】
本考案のディスプレイパネルの加工挟持具は従来の技術に較べて以下のような改善された点を有している。
１．本考案はベース１１内に設置された移動装置１１１により移動装置１１１の二側に接続された挟持装置１２を、相互に対向する或いは反対の方向に移動させてディスプレイパネル２を二つの挟持装置１２の間に固定させることができ、これにより各種サイズのディスプレイパネル２に適用可能で、これにより挟持具のコストを減らすことができる。
２．本考案は挟持装置１２に設けられたサポートフレーム１２１に枢設されたサポートアーム１２２を利用し、ディスプレイパネル２をサポートアーム１２２の回転により回転させることができ、これによりディスプレイパネル２の試験或いは加工の過程で、過程中に必要な回転作業にかかる時間と手間を減らすことができ、試験或いは加工のコストを減らすことができる。
【００１９】
総合すると、本考案のディスプレイパネルの加工挟持具は使用時の機能が明らかに増されており、新規性、進歩性及び産業上の利用価値を具備している。
【図面の簡単な説明】
【００２０】
【図１】本考案の斜視図である。
【図２】本考案の挟持前の正面図である。
【図３】本考案のディスプレイパネルの斜視図である。
【図４】本考案の挟持前の正面図である。
【図５】本考案の挟持時の正面図である。
【図６】本考案の挟持後に分離させる時の正面図である。
【図７】本考案のサポートアームの転向時の正面図である。
【図８】本考案のサポートアームの転向後の正面図である。
【図９】本考案の別の実施例の正面図である。
【図１０】本考案のさらに別の実施例の正面図である。
【図１１】本考案のさらにまた別の実施例の平面図である。
【図１２】本考案のレバー駆動の移動装置の斜視図である。
【図１３】周知の技術の斜視図である。
【符号の説明】
【００２１】
１  挟持具
１１  ベース                        １２１１  ピン
１１１  移動装置                    １２２  サポートアーム
１１２  駆動装置                    １２２１  凹溝
１２  挟持装置                      １２２２  嵌め溝
１２１  サポートフレーム
２  ディスプレイパネル
２１  固定手段
Ａ  ベース
Ａ１  サポートフレーム
Ｂ  ディスプレイパネル
Ｂ１  フレーム
【図１】
0003102119.tif 000003
【図２】
0003102119.tif 000004
【図３】
0003102119.tif 000005
【図４】
0003102119.tif 000006
【図５】
0003102119.tif 000007
【図６】
0003102119.tif 000008
【図７】
0003102119.tif 000009
【図８】
0003102119.tif 000010
【図９】
0003102119.tif 000011
【図１０】
0003102119.tif 000012
【図１１】
0003102119.tif 000013
【図１２】
0003102119.tif 000014
【図１３】
0003102119.tif 000015